(57)【要約】【課題】冷凍サイクルに可燃性冷媒を用いた冷蔵庫の庫内灯に関し、接点端子間で火花が発生することを防止して安全性を高める。【解決手段】挿入引っ掛けによる固定方式のランプ１６と、スプリングバック保持機構を設けたランプソケット２０とから成る庫内灯２７を備えることにより、ランプ１６が緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプ１６の付け替えが簡単にできる。【選択図】図２
2005127657.tif 000002
【特許請求の範囲】
【請求項１】
挿入引っ掛けによる固定方式のランプと、スプリングバック保持機構を設けたランプソケットとから成る庫内灯を備え、冷凍サイクルに可燃性冷媒を用いた冷蔵庫。
【請求項２】
挿入端子による固定方式のランプと、ランプリセプタクルと台座が一体になったランプソケットとから成る庫内灯を備え、冷凍サイクルに可燃性冷媒を用いた冷蔵庫。
【請求項３】
挿入端子による固定方式のランプと、脱着可能でランプリセプタクルも兼ねた接続ユニットとソケットホルダーとで構成するランプソケットから成る庫内灯を備え、冷凍サイクルに可燃性冷媒を用いた冷蔵庫。
【請求項４】
口金端部に突起を設けたねじ込み固定方式のランプと、ソケット端部にラッチ機構を設けたランプソケットとから成る庫内灯を備え、冷凍サイクルに可燃性冷媒を用いた冷蔵庫。
【発明の詳細な説明】
【技術分野】
【０００１】
本発明は、冷凍サイクルに可燃性冷媒を用いた冷蔵庫の庫内灯に関するものである。
【背景技術】
【０００２】
冷蔵庫の庫内灯はランプとランプソケットから成り、ランプをランプソケット口金にねじ込むことにより電気回路が構成され、扉を開けるとランプが点灯するしくみとなっている（例えば、特許文献１参照。）。
【０００３】
以下、図面を参照しながら上記従来の庫内灯について説明する。
【０００４】
図６は従来冷蔵庫の庫内灯取付け状況の冷蔵室斜視断面図で、図７は従来冷蔵庫の庫内灯取付け断面図である。
【０００５】
１は冷蔵庫で内箱２と断熱壁３によって冷蔵室４を構成、冷蔵室４内の内箱２壁面に庫内灯５を固定設置、庫内灯を覆い隠すように冷却風路を構成したカバー６が設置されている。
【０００６】
庫内灯５はランプ７とランプソケット８とから成り、ランプ７は発光するガラス球９とねじ込み式の螺旋形状になった口金１０と接点端子１１とより形成、ランプソケッ８８はねじ込み式の螺旋形状になった口金１２と接点端子１３と電線１４と全てを覆うように成型された外郭１５とより形成されている。
【０００７】
以上のように構成された冷蔵庫の庫内灯について、以下その動作を説明する。
【０００８】
ランプソケット８の口金１２にランプ７の口金１０をねじ込むことにより、ランプ７の接点端子１１はランプソケット８の接点端子１３と接触し、また口金も螺旋形状同士で接触しているため、電線１４→口金１２→口金１０→接点端子１１→接点端子１３→電線１４という電気回路を構成することができ、冷蔵庫１の扉を開けると口金１０と接点端子１１との間にあるフィラメントが発光しランプが点灯する。
【特許文献１】特開平７−１４７１７４号公報
【発明の開示】
【発明が解決しようとする課題】
【０００９】
しかしながら、上記従来の庫内灯ではランプねじ込みが少ない場合接点同士の接触不良が発生し火花が飛ぶことがあるが、冷凍サイクルに可燃性冷媒を用いた場合、ガス漏れ時、不安全な状態になる可能性があった。
【００１０】
また、防爆のため庫内灯を複数部品で構成した場合、構造が複雑で大型になってしまい従来のスペースではランプの付け替えができないという欠点があった。
【００１１】
本発明は従来の課題を解決するもので、接点端子間で火花が発生することを防止して安全性を高めることを目的とする。また、庫内灯を小型化して、ランプ付け替えを容易にすることを目的とする。
【課題を解決するための手段】
【００１２】
本発明の冷蔵庫は、挿入引っ掛けによる固定方式のランプと、スプリングバック保持機構を設けたランプソケットとから成る庫内灯を備え、冷凍サイクルに可燃性冷媒を用いた
ものであり、ランプが緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプの付け替えが簡単にできる。
【００１３】
また、本発明の冷蔵庫は、挿入端子による固定方式のランプと、ランプリセプタクルと台座が一体になったランプソケットとから成る庫内灯を備え、冷凍サイクルに可燃性冷媒を用いたものであり、ランプが緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプの付け替えが簡単にできる。
【００１４】
また、本発明の冷蔵庫は、挿入端子による固定方式のランプと、脱着可能でランプリセプタクルも兼ねた接続ユニットとソケットホルダーとで構成するランプソケットから成る庫内灯を備え、冷凍サイクルに可燃性冷媒を用いたものであり、ランプが緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプの付け替えが簡単にできる。
【００１５】
また、本発明の冷蔵庫は、口金端部に突起を設けたねじ込み固定方式のランプと、ソケット端部にラッチ機構を設けたランプソケットとから成る庫内灯を備え、冷凍サイクルに可燃性冷媒を用いたものであり、ランプが緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプの付け替えが簡単にできる。
【発明の効果】
【００１６】
以上説明したように、本発明の冷蔵庫は、挿入引っ掛けによる固定方式のランプと、スプリングバック保持機構を設けたランプソケットとから成る庫内灯を備え、冷凍サイクルに可燃性冷媒を用いたものであり、ランプが緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプの付け替えが簡単にできる。
【００１７】
また、本発明の冷蔵庫は、挿入端子による固定方式のランプと、ランプリセプタクルと台座が一体になったランプソケットとから成る庫内灯を備え、冷凍サイクルに可燃性冷媒を用いたものであり、ランプが緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプの付け替えが簡単にできる。
【００１８】
また、本発明の冷蔵庫は、挿入端子による固定方式のランプと、脱着可能でランプリセプタクルも兼ねた接続ユニットとソケットホルダーとで構成するランプソケットから成る庫内灯を備え、冷凍サイクルに可燃性冷媒を用いたものであり、ランプが緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプの付け替えが簡単にできる。
【００１９】
また、本発明の冷蔵庫は、口金端部に突起を設けたねじ込み固定方式のランプと、ソケット端部にラッチ機構を設けたランプソケットとから成る庫内灯を備え、冷凍サイクルに
可燃性冷媒を用いたものであり、ランプが緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプの付け替えが簡単にできる。
【発明を実施するための最良の形態】
【００２０】
本発明の請求項１に記載の発明は、挿入引っ掛けによる固定方式のランプと、スプリングバック保持機構を設けたランプソケットとから成る庫内灯を備え、冷凍サイクルに可燃性冷媒を用いたものであり、ランプが緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプの付け替えが簡単にできる。
【００２１】
請求項２に記載の発明は、挿入端子による固定方式のランプと、ランプリセプタクルと台座が一体になったランプソケットとから成る庫内灯を備え、冷凍サイクルに可燃性冷媒を用いたものであり、ランプが緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプの付け替えが簡単にできる。
【００２２】
請求項３に記載の発明は、挿入端子による固定方式のランプと、脱着可能でランプリセプタクルも兼ねた接続ユニットとソケットホルダーとで構成するランプソケットから成る庫内灯を備え、冷凍サイクルに可燃性冷媒を用いたものであり、ランプが緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプの付け替えが簡単にできる。
【００２３】
請求項４に記載の発明は、口金端部に突起を設けたねじ込み固定方式のランプと、ソケット端部にラッチ機構を設けたランプソケットとから成る庫内灯を備え、冷凍サイクルに可燃性冷媒を用いたものであり、ランプが緩むことなく取付けられ可燃性冷媒の漏洩時においても、接点端子間で火花が発生することがなく不安全な状態になることはない。また、防爆構造のためのスペースも必要なく省スペース化が図れ、簡素な構造により冷蔵庫内の狭いスペースでもランプの付け替えが簡単にできる。
【００２４】
以下、本発明の冷蔵庫の実施の形態について説明する。なお従来と同一構成については、同一符号を付して詳細な説明を省略する。
【００２５】
（実施の形態１）
図１は、本発明の実施例１による冷蔵庫の庫内灯の断面図である。図２は、同実施例の冷蔵庫の庫内灯の詳細分解斜視図である。
【００２６】
図１、図２において、ランプ１６は発光するガラス球９と側面の対角線上２箇所に垂直方向に立てたリブ１９と底面に２つの接点端子１８を設けた口金１７とで構成されており、ランプソケット２０は外郭２１の中には引っ掛け溝２２ａと可動ガイド溝２２ｂとを配置した補強円筒２２と、接点端子２３と電線２４とを結線し可動ガイド溝２２ｂを摺動する電極板２５と、電極板２５を常に押し出すためのスプリング２６とが収納されており、ランプ１６とランプソケット２０によって冷蔵庫の庫内灯２７が形成されている。
【００２７】
以上のように構成された冷蔵庫の庫内灯について、以下その動作を説明する。
【００２８】
冷蔵庫の庫内灯ランプ１６の口金１７の側面には対角線上に２箇所垂直方向にリブ１９が立っているため、ランプソケット２０に挿入してランプ１６を取付けるためにはランプソケット２０の中に配した補強円筒２２の引っ掛け溝２２ａ沿いに挿入しなければならない。
【００２９】
まっすぐ挿入するとランプの接点端子１８が電極板２５上の接点端子２３に当接するが、この時点ではランプ１６を保持することはできない。
【００３０】
電極板２５の下にはスプリング２６が設置してあるためランプ１６を押し戻そうとする力が働くが、それに逆らう方向に補強円筒２２の可動ガイド溝２２ｂに沿って電極板２５を挿入し、鈎型状の引っ掛け溝２２ａ沿いに少し回して手放すとスプリング２６の押し戻そうとする力が働くが、引っ掛け溝２２ａの終端によって挟まれてランプ１６はランプソケット２０に完全に固定され各々接点端子は圧接されると共に、電気的回路を構成して冷蔵庫扉を開放した場合にガラス球９内のフィラメントは発光して庫内灯２７が点灯することができる。
【００３１】
したがって、接点同士の接触不良が発生しないため、冷凍サイクルに炭化水素系の可燃性冷媒を用いた冷蔵庫において、ガス冷媒が庫内に漏れた場合でも発火等の不安全な状態の発生を防止することができる。
【００３２】
また庫内灯がランプとランプソケットの従来と同じ小型２部品で簡単構成されるため、従来のスペースで周りの構造体を変更することなくランプの付け替えができる。
【００３３】
（実施の形態２）
図３は、本発明の実施例２による冷蔵庫の庫内灯の斜視図である。
【００３４】
図３において、ランプ２８は発光するガラス球９と底面に２枚の端子板３０を設けた口金２９とで構成されており、ランプソケット３１は外郭３２の中には電線３３と結線された２つの端子リセプタクル３４が埋設配置してあり、ランプ２８とランプソケット３１によって冷蔵庫の庫内灯３５が形成されている。
【００３５】
以上のように構成された冷蔵庫の庫内灯について、以下その動作を説明する。
【００３６】
冷蔵庫の庫内灯ランプ２８の口金２９の底面には２枚の端子板３０が立っており、相対するランプソケット３１には埋設された端子リセプタクル３４が位置して挿入するだけでランプ２８を保持すると共に、電気的回路を構成して冷蔵庫扉を開放した場合にガラス球９内のフィラメントは発光して庫内灯３５が点灯することができる。
【００３７】
したがって、接点同士の接触不良が発生しないため、冷凍サイクルに炭化水素系の可燃性冷媒を用いた冷蔵庫において、ガス冷媒が庫内に漏れた場合でも発火・爆発が起ることを防止することができる。
【００３８】
また庫内灯がランプとランプソケットの従来と同じ小型２部品で簡単構成されるため、従来のスペースで周りの構造体を変更することなくランプの付け替えができる。
【００３９】
（実施の形態３）
図４は、本発明の実施例３による冷蔵庫の庫内灯の斜視図である。
【００４０】
図４において、ランプ２８は発光するガラス球９と底面に２枚の端子板３０を設けた口金２９とで構成されており、ソケットホルダー３６には両側面に脱着穴３６ａが設けてあ
り、電線３３と結線された２つの端子リセプタクル３４とを備え両側面に脱着爪３７ａを備えた接続ユニット３７によってソケットホルダー３６に脱着可能なようにしてあり、ランプ２８とランプソケット３８によって冷蔵庫の庫内灯３９が形成されている。
【００４１】
以上のように構成された冷蔵庫の庫内灯について、以下その動作を説明する。
【００４２】
冷蔵庫の庫内灯ランプ２８の口金２９の底面には２枚の端子板３０が立っており、相対するランプソケット３８には脱着可能な接続ユニット３７に配置された端子リセプタクル３４が位置していて、接続ユニット３７を作業しやすい位置まで引き出した後ランプ２８を挿入、その後接続ユニット３７をソケットホルダー３６に挿入するだけで脱着穴３６ａと脱着爪３７ａが勘合してランプ２８を保持すると共に、電気的回路を構成して冷蔵庫扉を開放した場合にガラス球９内のフィラメントは発光して庫内灯３９が点灯することができる。
【００４３】
したがって、接点同士の接触不良が発生しないため、冷凍サイクルに炭化水素系の可燃性冷媒を用いた冷蔵庫において、ガス冷媒が庫内に漏れた場合でも発火・爆発が起ることを防止することができる。
【００４４】
また庫内灯がランプとランプソケットの従来と同じ小型２部品で簡単構成されており、接続ユニットが脱着可能であるため、従来のスペースで周りの構造体を変更することなくランプの付け替えができる。
【００４５】
（実施の形態４）
図５は、本発明の実施例４による冷蔵庫の庫内灯の斜視図である。
【００４６】
図５において、ランプ４０は発光するガラス球９とねじ込み式の螺旋形状になり付け根端部に緩み防止のストッパーリブ４２を設けた口金４１と接点端子１１とより形成し、ランプソケット４３は、ねじ込み式の螺旋形状になった口金１２と接点端子１３と電線１４と全てを覆うように成型され間口に山切形のギザギザ断面形状４５を配置した外郭４４とより形成されている。
【００４７】
以上のように構成された冷蔵庫の庫内灯について、以下その動作を説明する。
【００４８】
ランプソケット４３の口金１２にランプ４０の口金４１をねじ込むことにより、ランプ４０の接点端子１１はランプソケット４３の接点端子１３と接触し、また口金も螺旋形状同士で接触しているため、電気的回路を構成して冷蔵庫扉を開放した場合にガラス球９内のフィラメントは発光して庫内灯４６が点灯することができる。
【００４９】
ランプ４０をねじ込んでいくとランプ４０の口金４１の付け根端部に緩み防止のストッパーリブ４２が立っているため、ランプソケット４３の外郭４４の間口に設けたギザギザ断面形状４５を変形させながら乗り越えていくこととなるため、一度乗り越えると振動等による経時的に緩むことがなくなる。
【００５０】
したがって、接点同士の接触不良が発生しないため、冷凍サイクルに炭化水素系の可燃性冷媒を用いた冷蔵庫において、ガス冷媒が庫内に漏れた場合でも発火・爆発が起ることを防止することができる。
【００５１】
また庫内灯がランプとランプソケットの従来と同じ小型２部品で簡単構成されており、接続ユニットが脱着可能であるため、従来のスペースで周りの構造体を変更することなくランプの付け替えができる。
【００５２】
なお、ギザギザ断面形状４５は波型など凹凸形状を有すれば、上記と同様の作用効果を得ることができる。
【産業上の利用可能性】
【００５３】
以上のように本発明にかかる冷蔵庫は、可燃性冷媒の漏洩時においても、接点端子間で火花が発生することがなく不安全な状態になることはなく、簡素な構造により冷蔵庫内の狭いスペースでもランプの付け替えが簡単にできるので、冷蔵庫に限らず、可燃性冷媒を使用した冷却機器における庫内灯に適用できる。
【図面の簡単な説明】
【００５４】
【図１】本発明による実施の形態１の冷蔵庫の庫内灯の断面図
【図２】同実施の形態の冷蔵庫の庫内灯の詳細分解斜視図
【図３】本発明による実施の形態２の冷蔵庫の庫内灯の斜視図
【図４】本発明による実施の形態３の冷蔵庫の庫内灯の斜視図
【図５】本発明による実施の形態４の冷蔵庫の庫内灯の斜視図
【図６】従来の冷蔵庫の庫内灯取付け状況の冷蔵室斜視断面図
【図７】従来の冷蔵庫の庫内灯取付け断面図
【符号の説明】
【００５５】
１    冷蔵庫
１６、２８、４０    ランプ
２０、３１、３８、４３    ランプソケット
２７、３５、３９、４６    庫内灯
【図１】
2005127657.tif 000003
【図２】
2005127657.tif 000004
【図３】
2005127657.tif 000005
【図４】
2005127657.tif 000006
【図５】
2005127657.tif 000007
【図６】
2005127657.tif 000008
【図７】
2005127657.tif 000009